(57)【要約】      （修正有）【課題】車両において温風を供給できる熱量を得にくい状態であっても加湿空気を供給可能な加湿空気供給装置を提供する。【解決手段】加湿空気供給装置は、車室内に送風する空気を加熱する加熱装置を有する空調装置と、加熱装置によって加熱された空気を加熱可能な補助加熱装置と、加湿ユニットと、補助加熱装置の運転と加湿ユニットの運転とを制御する制御装置とを備える。制御装置は、ステップＳ１００で加熱装置を通過後の空気温度について加湿可能温度条件が成立するか否かを判定する。加湿可能温度条件が成立する場合にはステップＳ１２０で補助加熱装置を制御して加熱装置を通過後の空気を加熱し、ステップＳ１３０で加湿ユニットを制御して補助加熱装置によって加熱された空気を吸着材に供給する。【選択図】図７
2020006865.tif 000002
【特許請求の範囲】
【請求項１】
車室内に送風する空気を加熱する加熱装置（３２，５１）を有する空調装置（１）と、
前記加熱装置によって加熱された空気を加熱可能な補助加熱装置（３８）と、
空気に含まれる水分を吸着材に吸湿することおよび前記吸着材に吸湿された水分を車室内に提供する空気に対して放出することを実施可能な加湿ユニット（４）と、
前記補助加熱装置の運転と前記加湿ユニットの運転とを制御する制御装置（１０，１１）と、
を備え、
前記制御装置は、前記加熱装置を通過後の空気の温度について、前記吸着材から水分を脱離できる加湿可能温度条件が成立していない場合に、前記加熱装置を通過後の空気を加熱するように前記補助加熱装置を制御し、前記補助加熱装置によって加熱された空気を前記吸着材に供給するように前記加湿ユニットを制御する加湿空気供給装置。
【請求項２】
前記加熱装置（３２）は、エンジンの冷却水が流通するヒータコアであり、
前記補助加熱装置は、通電によって発熱する電気式ヒータであり、
前記制御装置は、前記加湿可能温度条件が成立していない場合に、前記ヒータコアを通過後の空気を加熱するように前記電気式ヒータを制御し、前記電気式ヒータによって加熱された空気を前記吸着材に供給するように前記加湿ユニットを制御する請求項１に記載の加湿空気供給装置。
【請求項３】
前記制御装置は、前記加湿可能温度条件が成立していない場合に、前記吸着材に供給する空気が前記加湿可能温度条件を満たす温度になるために必要な熱量を算出し、前記電気式ヒータに通電する電力を前記必要な熱量を確保する値に制御する請求項２に記載の加湿空気供給装置。
【請求項４】
前記加熱装置（５１）は、ヒートポンプ式の冷凍サイクル（１０５）に設けられた凝縮器であり、
前記補助加熱装置は、通電によって発熱する電気式ヒータであり、
前記制御装置は、前記加湿可能温度条件が成立していない場合に、前記凝縮器を通過後の空気を加熱するように前記電気式ヒータを制御し、前記電気式ヒータによって加熱された空気を前記吸着材に供給するように前記加湿ユニットを制御する請求項１に記載の加湿空気供給装置。
【請求項５】
前記制御装置は、前記加湿可能温度条件が成立していない場合に、前記吸着材に供給する空気が前記加湿可能温度条件を満たす温度になるために必要な熱量を算出し、前記電気式ヒータに通電する電力を前記必要な熱量を確保する値に制御する請求項４に記載の加湿空気供給装置。
【発明の詳細な説明】
【技術分野】
【０００１】
この明細書における開示は、室内に対して加湿空気を提供する加湿空気供給装置に関する。
【背景技術】
【０００２】
特許文献１は、無給水で加湿した空気を車室内に供給する車両用の加湿装置を開示している。この加湿装置は、第１ダクトと第２ダクトを介して室内空調ユニットに接続されている。車両用空調装置が作動している状態で加湿装置を運転すると、加湿装置用送風機の運転を開始し加湿装置のドアを所定の位置に移動させて、吸着モードと加湿モードが１分おきに交互に行われる。
【０００３】
吸着モード時には、室内空調ユニット内のエバポレータによって冷却された空気は、第１ダクト内を通じて空調ケース内から加湿装置ケース内に引き込まれ、空気中の水分は吸着器に吸着される。吸着器を通過した空気は、第２ダクト内を通じて室内空調ユニット内におけるヒータコアよりも下流側部位に戻される。加湿モード時には、室内空調ユニット内のヒータコアによって加熱された空気は、第１ダクト内を通じて空調ケース内から加湿装置ケース内に引き込まれ、吸着器に吸着されている水分が加熱された空気に移動する。吸着器から移動した水分を含んだ空気は、第３ダクト内を通じて乗員の顔部に向けて吹き出される。
【先行技術文献】
【特許文献】
【０００４】
【特許文献１】特開２０１５−２１７９１７号公報
【発明の概要】
【発明が解決しようとする課題】
【０００５】
特許文献１の装置によれば、例えばエンジン始動直後など、エンジン冷却水の温度が低い状態ではヒータコアの放熱量が小さいため、吸着器に温風を供給できないという問題があった。したがって、加湿装置は、エンジン冷却水の温度が上昇するまで加湿空気を車室内に供給することができない。
【０００６】
この明細書における開示の目的は、車両において温風を供給できる熱量を得にくい状態であっても加湿空気を供給可能な加湿空気供給装置を提供することである。
【課題を解決するための手段】
【０００７】
この明細書に開示された複数の態様は、それぞれの目的を達成するために、互いに異なる技術的手段を採用する。また、特許請求の範囲およびこの項に記載した括弧内の符号は、一つの態様として後述する実施形態に記載の具体的手段との対応関係を示す一例であって、技術的範囲を限定するものではない。
【０００８】
開示された加湿空気供給装置の一つは、車室内に送風する空気を加熱する加熱装置（３２，５１）を有する空調装置（１）と、加熱装置によって加熱された空気を加熱可能な補助加熱装置（３８）と、空気に含まれる水分を吸着材に吸湿することおよび吸着材に吸湿された水分を車室内に提供する空気に対して放出することを実施可能な加湿ユニット（４）と、補助加熱装置の運転と加湿ユニットの運転とを制御する制御装置（１０，１１）と、を備え、
制御装置は、加熱装置を通過後の空気の温度について、吸着材から水分を脱離できる加湿可能温度条件が成立していない場合に、加熱装置を通過後の空気を加熱するように補助加熱装置を制御し、補助加熱装置によって加熱された空気を吸着材に供給するように加湿ユニットを制御する。
【０００９】
この加湿空気供給装置によれば、空調装置が備える加熱装置を通過後の空気温度について加湿可能温度条件が成立していない場合に、補助加熱装置によって補充的に加熱した空気を吸着材に供給できる。これにより、空調装置における空気加熱能力が不足している状況において加湿空気を供給する加湿モードを実施できる。したがって、車両において温風を供給できる熱量を得にくい状態であっても加湿空気を供給可能な加湿空気供給装置を提供できる。
【図面の簡単な説明】
【００１０】
【図１】第１実施形態の加湿空気供給装置に関わる制御構成を示す図である。
【図２】第１実施形態の加湿ユニットと空調装置の構成を示す概要図である。
【図３】第１実施形態の加湿空気供給装置における制御を示すフローチャートである。
【図４】第２実施形態の加湿空気供給装置に関わる制御構成を示す図である。
【図５】第２実施形態の加湿ユニットと空調装置の構成を示す概要図である。
【図６】第２実施形態の冷凍サイクルの構成を示す概要図である。
【図７】第２実施形態の加湿空気供給装置における制御を示すフローチャートである。
【発明を実施するための形態】
【００１１】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各形態で具体的に組み合わせが可能であることを明示している部分同士の組み合わせばかりではなく、特に組み合わせに支障が生じなければ、明示していなくても形態同士を部分的に組み合せることも可能である。
【００１２】
（第１実施形態）
開示する加湿空気供給装置は、車両に搭載されて車室内に対して加湿空気を提供する装置である。加湿空気供給装置は、液体燃料を爆発燃焼させて動力を発生させる走行用内燃機関の駆動力により走行する車両、電気自動車、ハイブリッド自動車に適用可能である。加湿空気供給装置は、車両に搭載されて車室内に対して加湿空気を提供する装置である。車両が走行用の動力を充電するための二次電池を備える場合、車両は、電気スタンドや商業用電源に接続されるコンセントを備えており、このコンセントに電源供給源を接続することにより充電を行うこともできる。
【００１３】
加湿空気供給装置は、車室内を空調する車両用の空調装置と、空調装置による冷却空気、加熱空気を使用して車室内に加湿空気を提供する加湿ユニットとを備えている。図１には、車両に搭載する場合の加湿空気供給装置１００に関する制御構成の一例を示している。図２には、加湿ユニット４と空調装置１を備えた加湿空気供給装置１００を示している。
【００１４】
加湿空気供給装置１００は、車室内空調運転と、車室内空調運転と連動する加湿運転とを実施できる装置である。加湿空気供給装置１００は、車室内を加湿対象空間とし、加湿ユニット４が空調装置１に連結されて設置された構成を有している。まず、空調装置１について説明する。
【００１５】
空調装置１は車室内の前方に設けられている。空調装置１は、送風ユニット２、空調ユニット３および冷凍サイクル５、空調ＥＣＵ１０を備えている。送風ユニット２は、空調ユニット３の空調ケース３０内を流れる空気流を発生させる送風手段としての室内用ブロワ２０を備えている。
【００１６】
送風ユニット２の上流側には、内外気切替ケース設けられている。内外気切換ケースには、車室内の空気を取り入れる内気吸込口２４と車室外の空気を取り入れる外気吸込口２５とが形成されている。内気吸込口２４および外気吸込口２５の内側には、内外気切替ドア２６が回動自在に設けられている。内外気切替ドア２６は、サーボモータ等のアクチュエータにより駆動されて、吸込口モードを、車室内空気を循環する内気循環モード、車外空気を取り入れる外気導入モード等に切り替えることが可能である。
【００１７】
室内用ブロワ２０は、ブロワケース、ファン、モータ２１を有している。モータ２１の回転速度はモータ２１への印加電圧に応じて決定される。モータ２１への印加電圧が空調ＥＣＵ１０からの制御信号に基づいて制御されることにより、室内用ブロワ２０の送風量は制御される。
【００１８】
空調ケース３０の内部には、車室内に空調空気を導く空気通路２３が設けられている。空気通路２３には、室内用ブロワ２０よりも送風空気の下流側において、下流側に進むにしたがい順に、蒸発器５５、エアミックスドア３１、ヒータコア３２が設置されている。ヒータコア３２は、エンジンのウォータジャケットで暖められた冷却水が電動のウォータポンプによって循環する冷却水回路に設けられている。ヒータコア３２は、内部を流れる冷却水を暖房用熱源として空調ケース３０内を流れる空気を加熱する加熱装置である。
【００１９】
空気通路２３においてヒータコア３２よりも空気流れの下流には、補助加熱装置３８が設置されている。補助加熱装置３８は、例えば、ニクロム線ヒータ、ＰＴＣ（Positive Temperature Coefficient）ヒータを有する装置などの通電によって発熱する電気式ヒータである。補助加熱装置３８は、ヒータコア３２よりも下流において放熱によって空調ケース３０内を流れる空気を加熱する。補助加熱装置３８は、車載電池からの直流電源の供給を受ける。補助加熱装置３８の運転は、空調ＥＣＵ１０による通電、非通電によって制御される。
【００２０】
補助加熱装置３８の一例であるＰＴＣヒータは、通電発熱素子部を備え、通電発熱素子部に通電されることによって発熱し、周囲の空気を暖めることができる。この通電発熱素子部は、耐熱性を有する樹脂材料である、例えば、６６ナイロンやポリブタジエンテレフタレートなどで成形された樹脂枠の中に複数個のＰＴＣ素子を嵌め込むことにより構成したものである。また、ＰＴＣヒータは、さらに通電発熱素子部からの発熱を伝達する熱交換フィン部を有してもよい。この熱交換フィン部は、アルミニウムの薄板を波形状に成形したコルゲートフィンと、このコルゲートフィンを一定の形状に保つとともにＰＴＣ素子や電極板との接触面積を確保するアルミニウムプレートと、をろう付け接合することにより構成したものである。
【００２１】
空調ケース３０の最も下流側には、デフロスタ開口部、フェイス開口部およびフット開口部が形成されている。デフロスタ開口部には、デフロスタダクト３４が接続されており、デフロスタダクト３４内には、車両のフロント窓ガラスの内面に向かって主に温風を吹き出すデフロスタ通路３４ａが設けられている。フェイス開口部には、フェイスダクト３５が接続されており、フェイスダクト３５内には、乗員の頭胸部に向かって主に冷風を吹き出すフェイス通路３５ａが設けられている。フット開口部には、フットダクト３７が接続されており、フットダクト３７内には、乗員の足元部に向かって主に温風を吹き出すフット通路３７ａが設けられている。
【００２２】
空調ユニット３は、デフロスタ通路３４ａとフェイス通路３５ａとを開閉する第１吹出切替ドア３３と、フット通路３７ａを開閉する第２吹出切替ドア３６とを備えている。第１吹出切替ドア３３、第２吹出切替ドア３６は、サーボモータ等のアクチュエータによってそれぞれ駆動される。第１吹出切替ドア３３、第２吹出切替ドア３６は、車室内への吹出口モードをフェイスモード、バイレベルモード、フットモード、フットデフロスタモード、デフロスタモード等に切り替えることが可能である。
【００２３】
冷凍サイクル５は、圧縮機５０、圧縮された冷媒を凝縮液化させる凝縮器５１、気液分離器５３、液冷媒を減圧膨張させる膨張弁５４、減圧膨張された冷媒を蒸発気化させる蒸発器５５、およびこれらを環状に接続する冷媒配管等を備えている。気液分離器５３は、凝縮器５１において凝縮液化された冷媒を気液分離し、液冷媒は下流に流下する。
【００２４】
圧縮機５０は、インバータにより回転数制御されて冷媒を圧縮する電動圧縮機である。圧縮機５０は、内蔵された電動モータにより駆動され、回転数制御が可能であり、回転数に応じて冷媒吐出流量が可変である。圧縮機５０はインバータにより周波数が調整された交流電圧が印加されてその電動モータの回転速度が制御される。インバータは車載電池から直流電源の供給を受け、空調ＥＣＵ１０により制御される。
【００２５】
凝縮器５１は、エンジンコンパートメント等の車両が走行する際に生じる走行風を受け易い場所に設けられている。凝縮器５１は、内部を流れる冷媒と室外ファン５２により送風される外気および走行風とを熱交換する室外熱交換器である。蒸発器５５は、室内用ブロワ２０直後の通路全体を横断するように設置されており、室内用ブロワ２０から吹き出された空気全部が通過するようになっている。蒸発器５５は、内部を流れる冷媒と空気通路２３を流れる空気との間で熱交換が行われて当該空気を冷却する空気冷却作用および自身を通過する空気を除湿する空気除湿作用を行う冷却装置である。
【００２６】
蒸発器５５よりも下流側であってヒータコア３２よりも上流側の通風路には、蒸発器５５を通過した空気を、ヒータコア３２を通る空気とヒータコア３２を迂回する空気の風量比率を調整できるエアミックスドア３１が設けられている。エアミックスドア３１は、アクチュエータ等によりそのドア本体の位置を変化させて、空調ケース３０内の蒸発器５５よりも下流の通路の一部を塞ぐことで、車室内へ吹き出す空気の吹出温度を調整する温度調整手段である。
【００２７】
操作部１１０は、加湿空気供給装置１００の運転中に表示状態になる動作表示部としての表示画面部と各種スイッチとを有している。表示画面部は、空調ＥＣＵ１０や加湿ＥＣＵ１１からの命令信号によって表示状態または非表示状態に制御される。
【００２８】
空調ＥＣＵ１０は、操作部１１０の操作によって設定された、マニュアル運転による指令や自動運転の設定温度に応じて、室内用ブロワ２０による送風量と空調空気の温度とを制御する。空調装置１の運転、停止および設定温度などの操作信号、各種センサの検出信号が入力されると、空調ＥＣＵ１０は車両ＥＣＵ、加湿ＥＣＵ１１等と通信する。空調ＥＣＵ１０は、演算結果に基づいて、圧縮機５０、室内用ブロワ２０、室外ファン５２、エアミックスドア３１、補助加熱装置３８、内外気切替ドア２６、吹出口切替等といった各機器の運転を制御する。空調ＥＣＵ１０は、マイクロコンピュータと、車室内前方に設けられた操作部１１０における各種スイッチからの信号や、各種センサからのセンサ信号が入力される入力回路と、各種アクチュエータに出力信号を送る出力回路と、を備えている。空調ＥＣＵ１０は、水温センサ６２によって検出されたエンジン冷却水の温度である冷却水温度に関わる温度情報を取得する。水温センサ６２は温度に応じて抵抗値が変化するサーミスタである。
【００２９】
空調ＥＣＵ１０は、その出力側に接続された各種空調用機器を制御する制御手段が一体に構成された制御装置である。各空調用機器の作動を制御するハードウェアおよびソフトウェアは、各空調用構成機器の作動を制御する制御手段を構成している。空調ＥＣＵ１０はプログラムにしたがって動作するマイコンのようなデバイスを主なハードウェア要素として備える。空調ＥＣＵ１０は、送受信部と、各空調用機器と各種センサとが接続されるインターフェース部と、演算処理部と、記憶部とを少なくとも備えている。記憶部は、コンピュータによって読み取り可能なプログラムを非一時的に格納する非遷移的実体的記憶媒体である。記憶媒体は、半導体メモリまたは磁気ディスクなどによって提供されうる。演算処理部は、演算処理装置であり、インターフェース部を通して各種センサから取得した環境情報と、記憶部に記憶された制御特性マップやデータとを用いて所定のプログラムにしたがった判定処理や演算処理を行う。演算処理部は、空調ＥＣＵ１０における演算実行部であり判定処理実行部である。インターフェース部は、演算処理部による判定結果、演算結果に基づいて前述の各調整機器を操作する。したがって、インターフェース部は、制御装置における入力部および制御出力部である。
【００３０】
図２に示すように、加湿ユニット４は、ユニットケース４０と吸着材モジュール４１と流路切替装置とを備えている。ユニットケース４０は、吸着材モジュール４１と流路切替装置を収容し、空調ユニット３に連結されている。ユニットケース４０の内部には、冷却用通路４０ａと加熱用通路４０ｂと下流側通路４０ｃが設けられている。冷却用通路４０ａと加熱用通路４０ｂは下流側において下流側通路４０ｃに接続されている。ユニットケース４０の外形は、箱体状でもよいし、細長いダクト状でもよい。
【００３１】
冷却用通路４０ａは、空調ケース３０内において蒸発器５５とエアミックスドア３１との間の空気通路に接続されている。冷却用通路４０ａは、蒸発器５５によって冷却された空気を加湿ユニット４内に分流させることが可能な流路を構成する。加湿ユニット４は、冷却用通路４０ａを開閉する第１ドア４２を有している。
【００３２】
加熱用通路４０ｂは、空調ケース３０内においてヒータコア３２よりも下流に接続されている。加熱用通路４０ｂは、ヒータコア３２によって加熱された空気を加湿ユニット４内に分流させることが可能な流路を構成する。加湿ユニット４は、加熱用通路４０ｂを開閉する第２ドア４３を有している。
【００３３】
下流側通路４０ｃは、下流端においてフェイスダクト３５に接続されている。下流側通路４０ｃには吸着材モジュール４１が設置されている。下流側通路４０ｃを流下する空気は、吸着材モジュール４１を通過した後、フェイス通路３５ａを介して乗員の頭胸部に向かって吹き出される。
【００３４】
吸着材モジュール４１は、吸着材を担持させた複数の金属製の板状部材を間隔をあけて積層設置し、板状部材と板状部材との間に送風空気を通過させる通路を備えている。吸着材モジュール４１では、このように吸着材を担持させた複数の板状部材を積層設置する構成により、送風空気と吸着材との接触面積を増加させることができる。吸着材モジュール４１では、吸着材として、有機系材料の高分子吸着材、無機系材料のゼロライト、シリカゲル等の吸湿材料を採用している。
【００３５】
下流側通路４０ｃは、フェイス通路３５ａに合流することなく、車室内に直接連通する構成でもよい。この場合、下流側通路４０ｃを流下する空気は、吸着材モジュール４１を通過した後、車室内に吹き出される。また、下流側通路４０ｃはフェイス通路３５ａとデフロスタ通路３４ａとの両方に繋がるように分岐し、加湿ユニット４はフェイス通路３５ａに連通する場合とデフロスタ通路３４ａに連通する場合とに切り替え可能な手段を有する構成でもよい。この場合、下流側通路４０ｃを流下する空気は、吸着材モジュール４１を通過した後、加湿空気を供給する場合にはフェイス通路３５ａを介して車室内に吹き出され、除湿空気を供給する場合にはデフロスタ通路３４ａを介して車室内に吹き出される。
【００３６】
加湿空気供給装置１００は、加湿ユニット４の運転を制御する加湿ＥＣＵ１１を備えている。加湿ＥＣＵ１１には、操作部１１０から出力される運転指令信号、空調ＥＣＵ１０からの通信信号等が入力される。加湿ＥＣＵ１１と空調ＥＣＵ１０とは、互いに情報、指令を通信する関係にある。操作部１１０は、空調装置１の運転に関する指令信号を空調ＥＣＵ１０に送るための各種スイッチに加え、加湿ユニット４を起動、停止するための運転スイッチ等を含んでいる。
【００３７】
加湿ＥＣＵ１１は、その出力側に接続された加湿ユニット４の各種機器を制御する制御手段が一体に構成された制御装置である。加湿ユニット４の各種機器の作動を制御するハードウェアおよびソフトウェアは、制御手段を構成している。加湿ＥＣＵ１１は、プログラムにしたがって動作するマイコンのようなデバイスを主なハードウェア要素として備える。加湿ＥＣＵ１１は、加湿ユニット４の各種機器、操作部１１０および空調ＥＣＵ１０が接続されるインターフェース部と演算処理部と、記憶部とを少なくとも備える。演算処理部は、インターフェース部を通して所定のセンサの検出信号、空調ＥＣＵ１０からの通信信号等を用いて、記憶部に記憶された制御特性マップ、データ、所定のプログラム等にしたがった判定処理や演算処理を行う。演算処理部は、加湿ＥＣＵ１１における判定処理実行部である。インターフェース部は、演算処理部による判定結果、演算結果に基づいて、第１ドア４２、第２ドア４３を含む加湿ユニット４の各種機器を操作する。インターフェース部は、加湿ＥＣＵ１１における入力部および制御出力部である。
【００３８】
また、加湿ＥＣＵ１１は、例えば、空調装置１の各空調用機器の作動を制御する空調用制御装置の一部として、または空調用制御装置と一体的に構成される制御装置であってもよい。
【００３９】
加湿ユニット４では、脱離時に、ヒータコア３２によって、またはヒータコア３２と補助加熱装置３８の両方によって加熱された空気が、第２ドア４３によって開状態である加熱用通路４０ｂに流入する。加熱用通路４０ｂに流入した空気は吸着材モジュール４１を通過するときに水分を貯えてからフェイス通路３５ａを流下する。このとき第１ドア４２は冷却用通路４０ａを閉状態に制御している。加湿ユニット４は、この脱離時の空気流れを実施することにより、乗員または車室内に対して加湿空気を供給できる。
【００４０】
加湿ユニット４では、吸着素子に水分が吸着される吸湿時に、空調ユニット３の蒸発器５５によって冷却された空気が、第１ドア４２によって開状態である冷却用通路４０ａに流入し、吸着材モジュール４１の通過時に水分を放出し、フェイス通路３５ａを流下する。このとき第２ドア４３は加熱用通路４０ｂを閉状態に制御し、吸着素子は放出された水分を吸着する。加湿ユニット４は、この吸湿時の空気流れを実施することにより、車室内に対して除湿空気を供給する。
【００４１】
加湿空気供給装置１００の作動について説明する。加湿空気供給装置１００は、加湿ユニット４が運転していない状態において空調装置１による車室内空調運転と、加湿ユニット４と空調装置１とが連動して車室内に加湿空気を供給する加湿運転とを実施する装置である。加湿空気供給装置１００は、例えば、乗員の操作によって操作部１１０に含まれる加湿運転スイッチがオン状態になると加湿運転を実施可能な状態になる。例えば、加湿運転は、冬季のように比較的外気温が低く、車室内が乾燥しやすいときに作動することが多い。加湿運転スイッチがオン状態になると、加湿ＥＣＵ１１は、冷却用通路４０ａを開放する状態と加熱用通路４０ｂを開放する状態とを例えば所定時間毎に交互に切り替えるように、第１ドア４２および第２ドアを制御する。これにより、空気通路２３を流れ空気の一部が冷却用通路４０ａを流下する流路と加熱用通路４０ｂを流下する流路とが所定時間毎に切り替えられることになる。
【００４２】
送風ユニット２が送風しヒータコア３２や補助加熱装置３８が通過空気を加熱しているときに、加湿ＥＣＵ１１が第１ドア４２を閉状態に制御しかつ第２ドア４３を開状態に制御すると、ヒータコア３２などによって暖められた空気は加熱用通路４０ｂに流入する。このとき補助加熱装置３８を通過後の空気の温度が車室内空気の温度よりも所定温度、例えば５℃程度高くなるように、補助加熱装置３８の出力は制御されることが好ましい。
【００４３】
ヒータコア３２や補助加熱装置３８を通過後の送風空気は、加熱用通路４０ｂを通じて吸着材モジュール４１に流入する。この際、加熱されて温度上昇した空気の相対湿度は、車室内の空気の相対湿度よりも低下している。したがって、加熱されて相対湿度が下がった空気を吸着材モジュール４１の吸着材に接触させることで吸着材に吸着している水分が空気に脱離しやすい状況となる。つまり、加熱によって相対湿度が下げられた空気は、吸着材が保持している水分を含みやすいため、吸着材モジュール４１を流出後の空気は十分に加湿された加湿空気になってから乗員に向けて供給される。
【００４４】
この脱離時には、吸着材モジュール４１に供給する前の空気をヒータコア３２や補助加熱装置３８で加熱するため、当該空気を迅速に温度上昇させることができる。さらに、空気温度が迅速に上昇したことにより、空気の相対湿度を迅速に下げることができるため、吸着材モジュール４１での水分脱離が活発に行われ、吸着材モジュール４１を流出後の空気の相対湿度を迅速に高めることができる。
【００４５】
送風ユニット２が送風し蒸発器５５が通過空気を冷却しているときに、加湿ＥＣＵ１１が第１ドア４２を開状態に制御しかつ第２ドア４３を閉状態に制御すると、蒸発器５５を通過して冷却された空気は冷却用通路４０ａに流入する。このとき蒸発器５５を通過後の温度低下した空気の相対湿度は、車室内の空気の相対湿度よりも上昇している。したがって、車室内の空気に対して相対湿度が高まった空気を吸着材に接触させることができるので、空気の水分が吸着材に吸着しやすい状況となる。つまり、蒸発器５５によって相対湿度が上げられた空気は、吸着材に水分を吸着させやすく、吸着材モジュール４１を流出後の空気は十分に除湿された除湿空気になってから車室内に向けて供給される。
【００４６】
この吸湿時には、吸着材モジュール４１に供給する前の空気を蒸発器５５で冷却するため、当該空気を迅速に温度低下させることができる。さらに、空気温度が迅速に低下することにより、空気の相対湿度を迅速に高めることができるため、吸着材モジュール４１での水分吸着が活発に行われ、吸着材モジュール４１を流出後の空気の相対湿度を迅速に低下させることができる。
【００４７】
次に、加湿空気供給装置１００による加湿運転に関する制御について図３のフローチャートを参照して説明する。加湿空気供給装置１００が備える制御装置は、例えば乗員の操作によって加湿運転スイッチがオンされると図３のフローチャートにしたがった処理を開始する。図３のステップＳ１０、ステップＳ２０における処理は、空調ＥＣＵ１０や加湿ＥＣＵ１１における演算処理部が実行する。
【００４８】
まず演算処理部はステップＳ１０で、水温センサ６２による検出信号を取得し、この検出信号に基づいて現在の冷却水温度が第１の閾温度以上であるか否かを判定する。現在の冷却水温度が第１の閾温度未満であることは、ヒータコア３２によって加熱された後の空気の温度について、吸着材に吸着されている水分を脱離できる加湿可能温度条件が成立しない場合の一例である。
【００４９】
ステップＳ１０では一例として、ヒータコア３２によって加熱された後の空気温度が４０℃以上であるか否かを判定する。加熱後の空気温度がステップＳ１０において４０℃以上であると判定した場合はステップＳ４０において加湿モード処理を実行する。加湿モード処理において、空調ＥＣＵ１０は室内用ブロワ２０を運転し、加湿ＥＣＵ１１は冷却用通路４０ａが閉じるように第１ドア４２を制御し加熱用通路４０ｂが開くように第２ドア４３を制御する。このときに送風ユニット２が空気通路２３に取り入れる空気は外気、内気またはその両方のいずれであってもよい。ヒータコア３２によって加熱された空気は、空気通路２３から加熱用通路４０ｂに分流し、加熱用通路４０ｂから下流側通路４０ｃを流下する過程で吸着材モジュール４１において脱離した水分を含んで加湿される。吸着材モジュール４１を流出後の加湿空気は車室内または乗員に向けて供給される。加湿ＥＣＵ１１は加湿モードの実施後、ステップＳ５０において吸湿モード処理を実行する。
【００５０】
吸湿モード処理において、空調ＥＣＵ１０は室内用ブロワ２０を運転し、加湿ＥＣＵ１１は冷却用通路４０ａが開くように第１ドア４２を制御し加熱用通路４０ｂが閉じるように第２ドア４３を制御する。このときも送風ユニット２が空気通路２３に取り入れる空気は外気、内気またはその両方のいずれであってもよい。蒸発器５５を通過した空気は、空気通路２３から冷却用通路４０ａに分流し、冷却用通路４０ａから下流側通路４０ｃを流下する過程で吸着材モジュール４１において水分が吸着されて除湿される。吸着材モジュール４１を流出後の除湿空気は車室内に供給される。加湿空気供給装置１００は、加湿モードと吸湿モードとを順に実行した後はステップＳ１０に戻り、以降の処理を継続する。
【００５１】
ステップＳ１０においてヒータコア３２で加熱後の空気温度が４０℃未満であると判定した場合は、演算処理部はステップＳ２０において吸着材モジュール４１において水分を脱離させるために必要な熱量を算出する。例えば演算処理部は、記憶部に記憶された特性マップやデータに基づいて、吸着材に吸着されている水分を脱離できる加湿可能温度を算出しあるいは記憶部に記憶されたデータから加湿可能温度を取得する。演算処理部は、この加湿可能温度とヒータコア３２で加熱後の空気温度との温度差を算出し、補助加熱装置３８によって加熱される空気の流量と温度差とを用いて、空気の温度をこの温度差分、上昇させるために必要な熱量を算出する。
【００５２】
空調ＥＣＵ１０は、ステップＳ３０において、必要な熱量を加湿ＥＣＵ１１と通信して取得し、この必要な熱量を出力できるように補助加熱装置３８へ供給する電力を制御して補助加熱装置３８を運転する。そして、前述のステップＳ４０、ステップＳ５０を順に実行した後、ステップＳ１０に進む。このようにステップＳ１０、Ｓ２０、Ｓ３０、Ｓ４０を順に実行する処理により、冷却水温度が高くない場合でも、補助加熱装置３８によって必要な熱量を得て加熱された空気が加熱用通路４０ｂに流入して吸着材モジュール４１の通過時に吸着材の水分を脱離させることができる。このように吸着材モジュール４１に供給される空気が加湿可能温度であるため、吸着材モジュール４１の通過時に吸着材が水分を放出できるので、ヒータコア３２が加熱能力不足である状況であっても加湿モードを実施することができる。
【００５３】
第１実施形態の加湿空気供給装置１００がもたらす作用効果について説明する。加湿空気供給装置１００は、車室内に送風する空気を加熱する加熱装置を有する空調装置１と、加熱装置によって加熱された空気を加熱可能な補助加熱装置３８と、加湿ユニット４と、補助加熱装置の運転と加湿ユニットの運転とを制御する制御装置とを備える。加湿ユニット４は、空気に含まれる水分を吸着材に吸湿することおよび吸着材に吸湿された水分を車室内に提供する空気に対して放出することを実施可能である。制御装置は、加熱装置を通過後の空気温度について加湿可能温度条件が不成立である場合に、補助加熱装置３８を制御して加熱装置を通過後の空気を加熱し、加湿ユニットを制御して補助加熱装置３８によって加熱された空気を吸着材に供給する。
【００５４】
この加湿空気供給装置１００によれば、空調装置１が備える加熱装置を通過後の空気温度について加湿可能温度条件が成立していない場合に、補助加熱装置３８によって補充的に加熱した空気を吸着材に供給できる。加湿空気供給装置１００は、例えば空調装置１における空気加熱能力が不足している状況など、車両における様々な状況にわたって加湿空気を供給する加湿モードを実施できる。したがって、車両用の空調装置１において温風を供給できる熱量を得にくい状態であっても加湿空気を供給可能な加湿空気供給装置１００を提供できる。
【００５５】
加熱装置は、エンジンの冷却水が流通するヒータコア３２である。補助加熱装置３８は、通電によって発熱する電気式ヒータである。制御装置は、加湿可能温度条件が成立していない場合に、ヒータコア３２を通過後の空気を加熱するように電気式ヒータを制御する（ステップＳ１０，Ｓ２０，Ｓ３０）。さらに制御装置は電気式ヒータによって加熱された空気を吸着材に供給するように加湿ユニット４を制御する（ステップＳ４０）。
【００５６】
この加湿空気供給装置１００によれば、エンジンの冷却水温が低い場合に、電気式ヒータによって加熱された空気を吸着材に供給して加湿モードを実施できる。これにより、エンジン始動直後やエンジンが暖まるまでの期間においても、乗員の要望や車室内の湿度環境改善に寄与する加湿空気供給装置１００を提供できる。
【００５７】
さらに制御装置は、加湿可能温度条件が成立していない場合に、吸着材に供給する空気が加湿可能温度条件を満たす温度になるために必要な熱量を算出し、電気式ヒータに通電する電力を必要な熱量を確保する値に制御する（ステップＳ１０〜Ｓ３０）。このステップＳ１０〜Ｓ３０の処理によれば、電気式ヒータに通電する電力値を、加湿モードを実施可能な必要な熱量に対する不足分に抑えることができる。第１実施形態の加湿空気供給装置１００は、電気式ヒータによる電力的なエネルギ消費を抑えた加湿運転の実施によって車両の燃費または電費の低下抑制に寄与する。
【００５８】
（第２実施形態）
第２実施形態の加湿空気供給装置１００について図４〜図７を参照して説明する。第２実施形態において、第１実施形態に係る図面と同一符号を付した構成部品やステップ、説明しない構成は、第１実施形態と同様であり、同様の作用効果を奏するものである。第２実施形態では、第１実施形態と異なる部分のみ説明する。
【００５９】
図４に示すように、空調ＥＣＵ１０は、吐出冷媒温度センサ６３によって検出された冷媒温度情報を取得する。吐出冷媒温度センサ６３は、圧縮機５０によって吐出された高圧側における冷媒温度を電気信号として出力するサーミスタである。図６に示すように、第２実施形態の空調装置１は、ヒートポンプ式の冷凍サイクル１０５を備えている。空調装置１は、空気通路２３において第１実施形態におけるヒータコア３２の位置に設けられた、冷凍サイクル１０５の凝縮器５１を備えている。つまり、補助加熱装置３８は、空気通路２３において凝縮器５１よりも空気流れの下流に設置されている。冷凍サイクル１０５の凝縮器５１は、内部を流れる冷媒と車室内に送風される空気とを熱交換して空気を加熱する加熱装置である。
【００６０】
図６を参照してヒートポンプ式の冷凍サイクル１０５について説明する。図６において、黒塗り太矢印は暖房運転時のサイクル内の冷媒流れを示しており、斜線太矢印は除湿運転時のサイクル内の冷媒流れを示しており、白抜き太矢印は冷房運転時のサイクル内の冷媒流れを示している。凝縮器５１は暖房運転時、除湿運転時および冷房運転時において内部を流れる冷媒の放熱作用によって送風空気を加熱する加熱装置として機能する。
【００６１】
ヒートポンプ式の冷凍サイクル１０５は、サイクル内を流れる冷媒である、Ｒ１３４ａ、ＣＯ２等の状態変化を利用することにより、冷房用の蒸発器５５と暖房用の凝縮器５１によって冷房、暖房および除湿を行うことができる。
【００６２】
冷凍サイクル１０５は、圧縮機５０と、凝縮器５１と、膨張弁５６と、室外熱交換器７４と、室外熱交換器７４から圧縮機５０への冷媒流れを形成する電磁弁５７と、冷媒を気液分離する気液分離器５３とを備え、これらを配管により環状に接続している。凝縮器５１は暖房運転時に圧縮機５０によって吐出された冷媒と空気とを熱交換させて空気を加熱する。膨張弁５６は暖房運転時に冷媒を減圧する。室外熱交換器７４は暖房運転時に膨張弁５６で減圧された冷媒を蒸発させる。冷凍サイクル１０５は、暖房運転時には、圧縮機５０、凝縮器５１、三方弁７０、膨張弁５６、分岐部７２、室外熱交換器７４、電磁弁５７、気液分離器５３、圧縮機５０の順に冷媒が循環する暖房運転経路を有している。さらに、圧縮機５０の出口には、圧縮機５０によって吐出された高圧側冷媒の温度を検出する吐出冷媒温度センサ６３が設けられている。
【００６３】
さらに冷凍サイクル１０５は、除湿運転時に、圧縮機５０、凝縮器５１、三方弁７０、膨張弁５６、分岐部７２、分岐部７３、電磁弁５９、蒸発器５５、気液分離器５３、圧縮機５０の順に冷媒が循環する除湿運転経路を有している。除湿運転経路は、除湿運転時に膨張弁５６で減圧された冷媒が室外熱交換器７４に流入しないで蒸発器５５に流入した後、気液分離器５３を経由して圧縮機５０に吸入される経路である。
【００６４】
さらに冷凍サイクル１０５は、圧縮機５０、凝縮器５１、三方弁７０、分岐部７１、室外熱交換器７４、分岐部７２、分岐部７３、電磁弁５８、膨張弁５４、蒸発器５５、気液分離器５３、圧縮機５０の順に冷媒が循環する冷房運転経路を有している。冷房運転経路は、凝縮器５１で送風空気と熱交換した冷媒が膨張弁５６を通らないで室外熱交換器７４に流入し、膨張弁５４で減圧された後、蒸発器５５に流入し、気液分離器５３を経由して圧縮機５０に吸入される経路である。
【００６５】
室外熱交換器７４は車両の車室外に配置されており、室外ファンにより強制的に送風される外気と冷媒とを熱交換する。膨張弁５６および膨張弁５４は固定式の膨張弁、機械式膨張弁で構成してもよい。機械式である場合は感温筒を備え、室外熱交換器７４の出口や蒸発器５５の出口の冷媒の蒸発状態が適度な過熱度をもつように出口冷媒温度をフィードバックし適切な弁開度によって冷媒流量を制御する温度作動方式を採用する。
【００６６】
第２実施形態の空調装置１における冷房運転、暖房運転、除湿運転をそれぞれ説明する。空調運転スイッチがオン状態のとき、空調ＥＣＵ１０は圧縮機５０を起動し、設定温度と各種センサからの信号とから冷房運転の実行を判定すると、三方弁７０の流通方向を分岐部７１側、電磁弁５８を開状態、電磁弁５７および電磁弁５９を閉状態に制御する。さらに空調ＥＣＵ１０は、吹出口モードとしてフェイスモードを実施するように吹出切替ドアを制御する。
【００６７】
冷房運転時には、圧縮機５０から吐出された高温高圧のガス冷媒は凝縮器５１に流入し凝縮器５１内を通るときに周囲の空気に吸熱されて冷却されるが、フェイスモードである場合、凝縮器５１の周囲を通過する送風量は少なく冷却度合いは大きくない。そして冷媒は、三方弁７０によって分岐部７１を通過して室外熱交換器７４に流入し、室外熱交換器７４内を通るときに室外ファンにより送風された空気に吸熱されて冷却され霧状冷媒となる。その後、霧状冷媒は電磁弁５８を通った後、膨張弁５４で減圧されて蒸発器５５に流入し室内用ブロワ２０によって空調ケース３０内を流れる送風空気から吸熱して蒸発器５５内で蒸発し、冷媒は気液分離器５３で気液分離された後、圧縮機５０に吸入される。蒸発器５５で吸熱され冷却された冷風はさらに空気通路２３を進んで主にフェイス通路３５ａを介して乗員の上半身に向けて吹き出されて車室内を冷房する。
【００６８】
次に暖房運転が行われた場合の冷媒の流れを説明する。空調運転スイッチがオン状態のとき、空調ＥＣＵ１０は圧縮機５０を起動し、設定温度と各種センサからの信号とから暖房運転の実行を判定すると、三方弁７０の流通方向を膨張弁５６側、電磁弁５７を開状態、電磁弁５８および電磁弁５９を閉状態に制御する。さらに空調ＥＣＵ１０は、吹出口モードとして設定温度に応じてフットモード、またはデフロスタモードを実施するように吹出切替ドアを制御する。
【００６９】
暖房運転時には、圧縮機５０から吐出された高温高圧のガス冷媒は凝縮器５１に流入し凝縮器５１内を通るときに周囲の送風空気に熱を奪われて冷却され凝縮する。そして冷媒は、膨張弁５６に流入し、膨張弁５６によって室外熱交換器７４の出口で冷媒の蒸発状態が適度な過熱度をもつような冷媒圧力に減圧され、また膨張弁５６が固定絞り弁である場合は所定の低圧に減圧される。このように膨張弁５６によって低圧に減圧された冷媒は分岐部７２を通過して室外熱交換器７４に流入し、室外熱交換器７４内を通るときに室外ファンにより送風された空気から吸熱して蒸発する。室外熱交換器７４で蒸発したガス冷媒は分岐部７１を経由して電磁弁５７を通り気液分離器５３で気液分離された後、圧縮機５０に吸入される。
【００７０】
暖房運転時に空調ケース３０内に取り込まれた低温の空気は、蒸発器５５を通過した後、凝縮器５１によって加熱され温風となる。そして、暖房運転時のデフロスタモードが行われる場合は、この温風は凝縮器５１を通過した後、吹出切替ドアによって開放されたデフロスタ通路３４ａを通ってフロントウィンドウの内面に向けて吹き出される。また、暖房運転のフットモードが行われる場合は、この温風は凝縮器５１を通過した後、吹出切替ドアによって開放されたフット通路３７ａを通って乗員の足元に向けて吹き出される。
【００７１】
次に除湿運転が行われた場合の冷媒の流れを説明する。空調運転スイッチがオン状態のとき、空調ＥＣＵ１０は圧縮機５０を起動し設定温度と各種センサからの信号とから除湿運転の実行を判定すると、三方弁７０の流通方向を膨張弁５６側、電磁弁５９を開状態、電磁弁５７および電磁弁５８を閉状態に制御する。さらに空調ＥＣＵ１０は、主にデフロスタモードまたはフットモードを実施するように吹出切替ドアを制御する。
【００７２】
除湿運転時には、圧縮機５０から吐出された高温高圧のガス冷媒は凝縮器５１に流入し凝縮器５１内を通るときに周囲の送風空気に吸熱されて冷却され凝縮する。冷媒は膨張弁５６で減圧され、膨張弁５６の出口で冷媒の蒸発状態が適度な過熱度をもつような冷媒圧力に減圧され、その後、室外熱交換器７４に流入しないで分岐部７２，７３を通過して蒸発器５５に流入する。冷媒は、蒸発器５５の内部では空調ケース３０内を流れる送風空気から吸熱して蒸発し、気液分離器５３で気液分離されてから圧縮機５０に吸入される。
【００７３】
除湿運転では蒸発器５５および凝縮器５１に冷媒が流れ、空調ケース３０内の送風空気はまず蒸発器５５で冷却、除湿され、その後に凝縮器５１で加熱されて温風となる。この温風は主にデフロスタ通路３４ａを通ってフロントウィンドウの内面に向かって吹き出され、防曇効果を発揮するとともに車室内を除湿暖房する。
【００７４】
第２実施形態の加湿運転に関する制御について図７のフローチャートを参照して説明する。加湿空気供給装置１００が備える制御装置は、例えば乗員の操作によって加湿運転スイッチがオンされると図７のフローチャートにしたがった処理を実行する。図７のステップＳ１００、ステップＳ１１０における処理は、空調ＥＣＵ１０または加湿ＥＣＵ１１における演算処理部が実行する。
【００７５】
演算処理部はステップＳ１００で、吐出冷媒温度センサ６３による検出信号を取得し、この検出信号に基づいて高圧側の冷媒温度が第２の閾温度以上であるか否かを判定する。高圧側の冷媒温度が第２の閾温度未満であることは、凝縮器５１によって加熱された後の空気の温度について、吸着材に吸着されている水分を脱離できる加湿可能温度条件が成立しない場合の一例である。
【００７６】
加熱後の空気温度がステップＳ１００において第２の閾温度未満であると判定した場合はステップＳ１３０において前述のステップＳ４０と同様の加湿モード処理を実行する。加湿ＥＣＵ１１は加湿モードの実施後、ステップＳ１４０において前述のステップＳ５０と同様の吸湿モード処理を実行する。加湿空気供給装置１００は、加湿モードと吸湿モードとを順に実行した後はステップＳ１００に戻り、以降の処理を継続する。
【００７７】
ステップＳ１００で現在の高圧側の冷媒温度が第２の閾温度未満であると判定した場合は、演算処理部はステップＳ１１０において吸着材モジュール４１において水分を脱離させるために必要な熱量を算出する。演算処理部は、前述のステップＳ２０の処理と同様に、記憶部に記憶された特性マップやデータに基づいて、加湿可能温度を算出しあるいは記憶部に記憶されたデータから加湿可能温度を取得する。演算処理部は、この加湿可能温度と凝縮器５１で加熱後の空気温度との温度差を算出し、補助加熱装置３８によって加熱される空気の流量と温度差とを用いて、空気の温度をこの温度差分、上昇させるために必要な熱量を算出する。
【００７８】
空調ＥＣＵ１０は、ステップＳ１２０において、必要な熱量を加湿ＥＣＵ１１と通信して取得し、この必要な熱量を出力できるように補助加熱装置３８へ供給する電力を制御して補助加熱装置３８を運転する。そして、前述のステップＳ４０、ステップＳ５０と同様のステップＳ１３０、ステップＳ５０を順に実行した後、ステップＳ１００に進む。このようにステップＳ１００、Ｓ１１０、Ｓ１２０、Ｓ１３０を順に実行する処理により、凝縮器５１が十分な加熱能力を発揮できない状態でも、補助加熱装置３８から必要な熱量を得て加熱された空気が加熱用通路４０ｂに流入して、吸着材モジュール４１の通過時に吸着材の水分を脱離させることができる。このように吸着材モジュール４１に供給される空気が加湿可能温度を満たしているため、吸着材モジュール４１の通過時に吸着材が水分を放出できるので、凝縮器５１が加熱能力不足である状況でも加湿モードを実施することができる。
【００７９】
第２実施形態の加湿空気供給装置１００によれば、加熱装置はヒートポンプ式の冷凍サイクル１０５に設けられた凝縮器５１である。補助加熱装置３８は通電によって発熱する電気式ヒータである。制御装置は、加湿可能温度条件が成立していない場合に、凝縮器５１を通過後の空気を加熱するように電気式ヒータを制御し、電気式ヒータによって加熱された空気を吸着材に供給するように加湿ユニット４を制御する。
【００８０】
この加湿空気供給装置１００によれば、凝縮器５１からの放熱量が十分でない状況、例えば冷房運転時や圧縮機５０による冷媒吐出量が少ない場合でも、電気式ヒータによって加熱された空気を吸着材に供給して加湿モードを実施できる。これにより、冷房運転時、低出力暖房時、乗員が空調運転を必要としていない場合においても、乗員の要望や車室内の湿度環境改善に寄与する加湿空気供給装置１００を提供できる。
【００８１】
さらに制御装置は、加湿可能温度条件が成立していない場合に、吸着材に供給する空気が加湿可能温度条件を満たす温度になるために必要な熱量を算出し電気式ヒータに通電する電力を必要な熱量を確保する値に制御する（ステップＳ１００，Ｓ１１０，Ｓ１２０）。このステップＳ１００〜Ｓ１２０の処理によれば、電気式ヒータに通電する電力値を、加湿モードを実施可能な必要な熱量に対する不足分に抑えることができる。第２実施形態の加湿空気供給装置１００は、電気式ヒータによる電力的なエネルギ消費を抑えた加湿運転の実施によって車両の燃費または電費の低下抑制に寄与する。
【００８２】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、一つの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００８３】
前述の実施形態において補助加熱装置３８の運転は空調ＥＣＵ１０によって制御される構成であるが、加湿ＥＣＵ１１または車両に搭載されているその他の制御装置によって制御される構成でもよい。
【００８４】
明細書に開示の目的を達成可能な加湿空気供給装置は、吸湿モード時に吸着材モジュール４１を通過させる空気を外気または内気のみに限定する装置ではない。例えば、加湿空気供給装置は、吸湿モード時に外気と内気の混合空気を吸着材モジュール４１を通過させる制御処理を実施する装置でもよい。
【００８５】
明細書に開示の目的を達成可能な加湿空気供給装置は、補助加熱装置３８を空調装置１に内蔵しているが、このような構成に限定されない。加湿空気供給装置は補助加熱装置３８を加湿ユニット４に内蔵する構成でもよい。
【００８６】
前述の実施形態の加湿空気供給装置１００が有する加湿ユニット４の構成部品は、一例にすぎない。
【００８７】
明細書に開示の目的を達成可能な加湿空気供給装置に含まれるヒートポンプ式の冷凍サイクルは、前述の実施形態に記載した構成に限定されない。
【００８８】
前述の実施形態でフローチャートを参照して説明した、加湿ＥＣＵ１１が実行する各処理は、空調ＥＣＵ１０が直接実行する構成としてもよい。
【００８９】
前述の実施形態では、吸着材モジュール４１として、吸着材を担持させた複数の金属製の板状部材を間隔を開けて積層設置することによって構成されたものを採用した例を説明したが、吸着材モジュール４１は、これに限定されない。例えば、波状に折り曲げられたコルゲート板に吸着材を担持させて、このコルゲート板を間隔を開けて積層設置して構成したものを採用してもよいし、断面六角形に形成された通路を有するハニカム部材に吸着材を担持させたものを採用してもよい。
【符号の説明】
【００９０】
１…空調装置、  ４…加湿ユニット
１０…空調ＥＣＵ（制御装置）、  １１…加湿ＥＣＵ（制御装置）
３２…ヒータコア（加熱装置）、  ５１…凝縮器（加熱装置）
３８…補助加熱装置、  １００…加湿空気供給装置、  １０５…冷凍サイクル
【図１】
2020006865.tif 000003
【図２】
2020006865.tif 000004
【図３】
2020006865.tif 000005
【図４】
2020006865.tif 000006
【図５】
2020006865.tif 000007
【図６】
2020006865.tif 000008
【図７】
2020006865.tif 000009